(57)【要約】【課題】着用者の胴部や腿部を確実且つ簡単にシールできるドライパンツを提供する。【解決手段】防水性素材よりなるパンツ本体２は着用者１８の胴部及び両腿部の夫々を周回してシールするシール部１５〜１７を有する。シール部１５〜１７の周方向の一端側の外面に第一面ファスナー３ａが設けられると共に他端側の内面に第一面ファスナー３ａに対して着脱自在となる第二面ファスナー３ｂが設けられる。シール部１５〜１７の周方向において第二面ファスナー３ｂと反対側の端部がシール部１５〜１７の第二面ファスナー３ｂ側と重複する重複部１１とされる。シール部１５〜１７の周方向において重複部１１よりも第二面ファスナー３ｂ側に第一面ファスナー３ａが配置されたことを特徴とするドライパンツ。【選択図】図１
2011226027.tif 000002
【特許請求の範囲】
【請求項１】
防水性素材よりなるパンツ本体を備え、該パンツ本体は着用者の胴部及び両腿部の夫々を周回してシールするシール部を有し、シール部の周方向の一端側の外面に第一面ファスナーが設けられると共に他端側の内面に第一面ファスナーに対して着脱自在となる第二面ファスナーが設けられ、該シール部の周方向において第二面ファスナーと反対側の端部が当該シール部の第二面ファスナー側部分と重複する重複部とされ、該シール部の周方向において重複部よりも第二面ファスナー側に前記第一面ファスナーが配置されたことを特徴とするドライパンツ。
【発明の詳細な説明】
【技術分野】
【０００１】
本発明は、失禁した際の尿等が外部に漏れないようにしたパンツに関する。
【背景技術】
【０００２】
この種のパンツとしては、特許文献１に開示されるパンツが知られており、このパンツは失禁した際の尿が外部に漏れないように内面に保水部が設けられている。
【先行技術文献】
【特許文献】
【０００３】
【特許文献１】特開２００１−２５４８３号公報
【発明の概要】
【発明が解決しようとする課題】
【０００４】
ところで、特許文献１のパンツは着用者の胴部及び両腿部の夫々を周回する部位のシール性が低い。このため、水治療、水中運動、入浴等の際の使用には適さないという課題がある。
【０００５】
本発明は上記事情に鑑みてなされたものであって、着用者の胴部や腿部を確実且つ簡単にシールできるドライパンツを提供することを課題とする。
【課題を解決するための手段】
【０００６】
上記課題を解決するために本発明のドライパンツは、防水性素材よりなるパンツ本体を備え、該パンツ本体は着用者の胴部及び両腿部の夫々を周回してシールするシール部を有し、シール部の周方向の一端側の外面に第一面ファスナーが設けられると共に他端側の内面に第一面ファスナーに対して着脱自在となる第二面ファスナーが設けられ、該シール部の周方向において第二面ファスナーと反対側の端部が当該シール部の第二面ファスナー側部分と重複する重複部とされ、該シール部の周方向において重複部よりも第二面ファスナー側に前記第一面ファスナーが配置されたことを特徴とする。
【発明の効果】
【０００７】
本発明にあっては、シール部の一端側の外面に設けられた第一面ファスナーに他端側の内面に設けられた第二面ファスナーを取り付けることで、シール部により着用者の胴部や腿部を締め付けてシールできる。また、重複部をシール部の第二面ファスナー側の部分と重複させることでより確実にシールできる。従って、水治療、水中運動、入浴等の際の使用に適している。また、前記シール部によるシールは第一面ファスナーに第二面ファスナーを取り付けるだけで簡単に行うことができる。
【図面の簡単な説明】
【０００８】
【図１】本発明の第一実施形態のドライパンツを示し、各第二面ファスナーを対応する第一面ファスナーに取り付ける直前の状態を示す斜視図である。
【図２】第二実施形態のドライパンツを示し、各第二面ファスナーを対応する第一面ファスナーに取り付ける直前の状態を示す斜視図である。
【図３】第二実施形態の他例のドライパンツを示し、各第二面ファスナーを対応する第一面ファスナーに取り付ける直前の状態を示す斜視図である。
【発明を実施するための形態】
【０００９】
以下、本発明を添付図面に基づいて説明する。
【００１０】
（第一実施形態）図１に示される本実施形態のドライパンツ１は、防水性素材よりなるトランクス型のパンツ本体２を備えている。
【００１１】
パンツ本体２は防水性に加えて伸縮性を備えた素材よりなり、具体的には、ドライスーツ等で用いられる、発泡クロロプレンゴム生地や、布等の繊維質素材に防水性フイルムを貼り合わせたり防水コーティングを施したもの等から成る。
【００１２】
パンツ本体２の前身頃５と後身頃６は着用者１８の両腿部の内側及び股間部の夫々に対応する部分を介して一体に接続されているが、パンツ本体２の両側端部においては分離可能に接続され、該接続部分において前身頃５と後身頃６を分離することでパンツ本体２内側を上下に亘って外側方に開放できるようになっている。
【００１３】
後身頃６の両側端部は共に着用者１８の腿部の前側に対応する部分まで延出され、これら延出部分で被取付部８が構成されている。パンツ本体２の側端部に位置する、各被取付部８の延出基端部の外面には、第一面ファスナー３ａが上下に亘って設けられている。各被取付部８の第一面ファスナー３ａよりも延出先端側は着用時において前身頃５の両側部分と重複する重複部１１となっている。
【００１４】
前身頃５はその両側端部が後身頃６の被取付部８に取り付けられる取付部９となっている。本実施形態では、前身頃５を上部エリア５ａ、中部エリア５ｂ、及び下部エリア５ｃに区分し、各エリア５ａ〜５ｃの両側端部に外側方に突出する略帯状の突出部１０を設け、各取付部９を複数の突出部１０で構成している。
【００１５】
各突出部１０の先端部内面には上下に長い直線状の第二面ファスナー３ｂが設けられている。各第二面ファスナー３ｂは対応する第一面ファスナー３ａよりも上下長さが短く対応する第一面ファスナー３ａに着脱自在に取り付けられるようになっている。なお、第一面ファスナー３ａ及び第二面ファスナー３ｂは一般的な面ファスナーと同様のものであり、例えば一方がループを有する面ファスナーからなり、他方がループに係合するフックを有する面ファスナーからなる。
【００１６】
上下に隣り合う突出部１０は、第二面ファスナー３ｂよりも基端側に位置する部分が接続部１２によって接続されている。接続部１２はパンツ本体２の他部よりも薄くて伸縮性があり、各突出部１０は隣接する接続部１２を伸縮することで、第二面ファスナー３ｂが設けられた突出先端部を容易に移動できるようになっている。
【００１７】
パンツ本体２において着用者１８の胴部及び両腿部の夫々を周回する部位は、パンツ本体２内側への水の浸入を防止するシール部１５、１６となっている。各シール部１５、１６は着用者１８の胴部又は腿部に締め付けられてこの間をシールする。本実施形態では、後身頃６を、上部エリア６ａ、中部エリア６ｂ、及び下部エリア６ｃに区分し、胴部を周回するシール部１５を後身頃６の上部エリア６ａと前身頃５の上部エリア５ａで構成し、腿部を周回するシール部１６を後身頃６の下部エリア６ｃ及び前身頃５の下部エリア５ｃの夫々の腿部に対応する部分で構成している。また、後身頃６の中部エリア６ｂと前身頃５の中部エリア５ｂでシール部１５とシール部１６の間の胴部を締め付けてシールするシール部１７を構成している。
【００１８】
ドライパンツ１を着用するには、まず各第二面ファスナー３ｂを対応する第一面ファスナー３ａから外して、前身頃５両側の取付部９を対応する後身頃６の被取付部８から取り外した状態とし、後身頃６を両被取付部８が後身頃６の臀部に対応する部分と略平面状になるように展開し、パンツ本体２内側を両外側方に開放させる。次に着用者１８の両腿部を両取付部９と対応する被取付部８の間を介してパンツ本体２の外側方から内側へと挿入する。次いで後身頃６の両重複部１１を対応する腿の前側に被せ、この後、両重複部１１の前側に前身頃５の両取付部９を含む両側部分を被せて、各第二面ファスナー３ｂを対応する第一面ファスナー３ａに取り付ける。
【００１９】
このドライパンツ１の着用の際には、着用者１８の胴部を周回するシール部１５にあっては、まず前身頃５の上部エリア５ａ両側の第二面ファスナー３ｂのうちの一方の第二面ファスナー３ｂが対応する第一面ファスナー３ａに取り付けられ、次にシール部１５が周方向に伸長されて、シール部１５の周方向の一端側に位置する他方の第二面ファスナー３ｂが対応する第一面ファスナー３ａに取り付けられる。このため、着用者１８の胴部はシール部１５によって締め付けられ、これにより胴周りがシールされる。
【００２０】
また、着用者１８の腿部を周回する各シール部１６も、周方向に伸長された状態でシール部１６の周方向の一端側に位置する第二面ファスナー３ｂが他端側に位置する第一面ファスナー３ａに取り付けられるため、着用者１８の腿部はシール部１６によって締め付けられ、該腿周り部分がシールされる。また、シール部１７にあっても、シール部１５と同様に、一方の第二面ファスナー３ｂが対応する第一面ファスナー３ａに取り付けられ、次にシール部１７が周方向に伸長され、他方の第二面ファスナー３ｂが対応する第一面ファスナー３ａに取り付けられるため、着用者１８の胴部はシール部１７によって締め付けられる。
【００２１】
以上説明したドライパンツ１は、着用者１８の胴部及び両腿部の夫々を周回するシール部１５〜１７にてパンツ本体２内側への水の浸入を防止でき、パンツ本体２内側を密閉空間にして乾燥状態を保つことができる。また失禁によりパンツ本体２内側に発生した汚物が外部に漏れ出すことも防止でき、着用者１８が浸かった水を清潔に保つことができる。従って、水治療、水中運動、入浴等の際の使用にも適している。また、着用時には、シール部１５〜１７の重複部１１がシール部１５〜１７の第二面ファスナー３ｂ側の部分の内面に沿って重複して二重のシール構造となるので、シール部１５〜１７によるシール性を一層向上させ、パンツ本体２内側への水の浸入を確実に防止できる。また、前記シール部１５〜１７によるシールは、シール部１５〜１７の周方向の一端側の外面に設けられた第二面ファスナー３ｂを他端側の内面に設けられた第一面ファスナー３ａに取り付けるだけで簡単に行うことができる。
【００２２】
また、本実施形態のドライパンツ１は、第二面ファスナー３ｂから第一面ファスナー３ａを取り外すことで、パンツ本体２の内側を外側方に開放し、この開いた部分から腿をパンツ本体２に出し入れできる。このため座った姿勢や寝転んだ姿勢のままパンツ本体２を容易に履いたり脱いだりすることができる。また、上下方向に複数設けられたシール部１５〜１７毎に面ファスナー３ｂを設けることで、胴と腿の周長の異なる部位を均一に締め付けることができ、この点でもシール性が向上する。
【００２３】
なお、前記第二面ファスナー３ｂと第一面ファスナー３ａのシール部１５〜１７の周方向における幅は同じであっても構わないが、第二面ファスナー３ｂの幅を第一面ファスナー３ａの幅よりも大きくすることが好ましい。このようにすると、第一面ファスナー３ａを第二面ファスナー３ｂの幅方向の任意の位置に取り付けることにより、各シール部１５〜１７による締め付け力を調整できる。
【００２４】
また、パンツ本体１の股間部の内側には、吸水パッドを交換可能に収納するパッド収納部を設けることが好ましい。このようにすると、パッド収納部に収納された吸収パッドは着用者１８の体との間に配置され、尿を吸収することができ、これによりパンツ本体１をおむつとしても利用できる。
【００２５】
（第二実施形態）次に第二実施形態について説明する。なお第一実施形態と同一の構成については同一の番号を付与し、重複する説明は省略する。
【００２６】
図２に示す本実施形態のドライパンツ１は、前身頃５と後身頃６がパンツ本体２の両側端部においても一体に接続されるものであり、シール部１７は存在しない。
【００２７】
パンツ本体２において着用者１８の胴部を周回するシール部１５は前身頃５側に位置する周方向の一箇所が分離され、該シール部１５の周方向の一端部が被取付部２０となり、周方向の他端部が被取付部２０に着脱自在に取り付けられる取付部２１となっている。パンツ本体２において着用者１８の腿部を周回する各シール部１６も周方向の一箇所が分離され、一端部が被取付部２０となり、他端部が被取付部２０に着脱自在に取り付けられる取付部２１となっている。
【００２８】
各シール部１５、１６の被取付部２０の外面には第一面ファスナー３ａが設けられている。各第一面ファスナー３ａはシール部１５、１６の周方向において被取付部２０の取付部２１側の端部に配置されてパンツ本体２の側端部に位置している。各シール部１５、１６の被取付部２０の第一面ファスナー３ａよりも取付部２１と反対側は着用時において当該シール部１５、１６の取付部２１と重複する重複部２２となっている。
【００２９】
各シール部１５、１６の取付部２１はパンツ本体２の外側方に向けて突出し、その突出先端部の内面には第二面ファスナー３ｂが設けられている。
【００３０】
パンツ本体２の前身頃５には、パンツ本体２内側の空気を排出するための空気抜き弁２３が設けられている。空気抜き弁２３は従来から浮き輪やタイヤ等に用いられる弁と同様に逆流防止機能を有する弁であって、水を通さず、また、パンツ本体２内側から外側に向かって空気が流れることは許容するが、パンツ本体２の外側から内側に向かって空気が流れることを防止できるようになっている。
【００３１】
本実施形態のドライパンツ１を着用するには、まず各第二面ファスナー３ｂを対応する第一面ファスナー３ａから外して、各取付部２１を対応する被取付部２０から取り外す。次に、一般のパンツを穿く場合と同様に着用者１８の両腿部を各シール部１６に通し、この後、各第二面ファスナー３ｂを対応する第一面ファスナー３ａに取り付ける。
【００３２】
このドライパンツ１の着用の際の各シール部１５、１６にあっては、周方向に伸長された状態でシール部１５、１６の周方向の一端側に位置する第二面ファスナー３ｂが他端側に位置する第一面ファスナー３ａに取り付けられるため、着用者１８の胴部や腿部はシール部１５、１６によって締め付けられ、シールされる。
【００３３】
本実施形態のドライパンツ１も着用者１８の胴部及び両腿部の夫々を周回するシール部１５、１６にてパンツ本体２内側への水の浸入を防止できる。また、着用時には、シール部１５、１６の重複部１１がシール部１５、１６の第二面ファスナー３ｂ側の部分の内面に沿って重複し、二重のシール構造になるので、シール部１５、１６によるシール性を一層向上させ、パンツ本体２内側への水の浸入を確実に防止できる。また、シール部１５、１６によるシールは、シール部１５、１６の周方向の一端側の外面に設けられた第一面ファスナー３ａを他端側の内面に設けられた第二面ファスナー３ｂに取り付けるだけで簡単に行うことができる。
【００３４】
また、着用時におけるパンツ本体２の内側は密閉された空間となるため、着用者１８が水に浸かったときにはパンツ本体２の内側に溜まった空気により大きな浮力が働く場合がある。しかし、本実施形態のドライパンツ１は、空気抜き弁２３が設けられているので、パンツ本体２を外側から押圧等してパンツ本体２内側の密閉空間を加圧することにより、空気抜き弁２３からパンツ本体２の内側に溜まった空気を排出できる。このため着用者１８は、下腹部を容易に水に沈めることができ、また水中で容易に体を動かすことができる。なお、本実施形態の空気抜き弁２３は省略可能である。また、本実施形態の空気抜き弁２３は第一実施形態におけるドライパンツ１に設けてもよい。
【００３５】
また、図２の例では取付部２１の突出先端側の端縁を被取付部２０に対して接続せずに自由端としたが、図３のように接続部２５を介して被取付部２０に接続してもよい。図３の例では取付部２１の突出先端側の端縁の半部が接続部２５を介して被取付部２０の第一面ファスナー３ａと反対側の端縁に接続されている。接続部２５はパンツ本体２の他部よりも薄くて伸縮性があり、接続部２５を伸縮することで、取付部２１の第二面ファスナー３ｂが設けられた突出先端部の位置を容易に変更できるようになっている。接続部２５を伸長して取付部２１の第二面ファスナー３ｂを対応する被取付部２０の第一面ファスナー３ａに取り付ければ、被取付部２０の第一面ファスナー３ａと反対側の端縁で折り返された接続部２５が被取付部２０の重複部２２の外面に沿って被せられ、さらにこの接続部２５の外面に沿って取付部２１が被せられる。すなわち、ドライパンツ１の着用時には被取付部２０、接続部２５、及び取付部２１による三重のシール構造となり、各シール部１５、１６におけるシール性を一層高めることができる。
【符号の説明】
【００３６】
１  ドライパンツ
２  パンツ本体
３ａ  第一面ファスナー
３ｂ  第二面ファスナー
１１  重複部
１５  シール部
１６  シール部
２２  重複部
【図１】
2011226027.tif 000003
【図２】
2011226027.tif 000004
【図３】
2011226027.tif 000005